(57)【要約】【課題】光パスの生存時間を適切に可変設定することの可能な光伝送システムを提供すること。【解決手段】フォトニックネットワークにトラフィックを移行させるＬＳＰの直近のトラフィック傾向に基づいて、光パス生存時間を決定するようにする。すなわちＬＳＰの光パス設定手続きが開始された際に、そのＬＳＰに対応する光パスの設定履歴に基づき、光パスの生存時間を決定する。光パス生存時間を、新たな光パスが設定される際に決定する可変な値とすることにより、柔軟な光パス生存時間の設定が可能となる。特に、過去から現在に至るまでのネットワークのトラフィック状態に関連して光パスの生存時間を決定することにより、有限数の光トランシーバを有効活用し、トラフィック状態に対応しながら、伝送品質を向上させ、ノードの処理を少なくすることが可能となる。【選択図】      図３
2005340958.tif 000002
【特許請求の範囲】
【請求項１】
ラベルスイッチパス上を転送されるパケットをスイッチングする複数のルーティングノードを備えるパケット通信網にオーバレイされる光伝送システムであって、
光パス生成要求が前記パケット通信網から与えられた場合に、この光パス生成要求により指定されるデフォルトパスのトラフィックの少なくとも一部を収容可能な光パスを生成する光パス生成手段と、
前記デフォルトパスごとに光パスの生成された履歴を管理する履歴管理手段と、
この履歴管理手段により管理される情報に基づいて前記光パスの生存時間をデフォルトパスごとに決定するパスライフ決定手段と、
このパスライフ決定手段により決定される生存時間に基づいて前記光パスの解放時刻をスケジューリングする光パス解放手段とを具備することを特徴とする光伝送システム。
【請求項２】
前記パスライフ決定手段は、前記デフォルトパスごとに光パス生成要求の発生時点から規定時間過去に溯った時点までの期間内における光パスの生存時間の総計値に基づいて、デフォルトパスごとの光パスの生存時間を決定することを特徴とする請求項１に記載の光伝送システム。
【請求項３】
前記パスライフ決定手段は、前記デフォルトパスごとに光パス生成要求の発生時点から既定の周期の自然数倍過去に溯った時点を含む既定期間内における光パスの生存時間の平均値に基づいて、デフォルトパスごとの光パスの生存時間を決定することを特徴とする請求項１に記載の光伝送システム。
【請求項４】
前記既定の周期は１日であることを特徴とする請求項３に記載の光伝送システム。
【請求項５】
前記既定の周期は１週間であることを特徴とする請求項３に記載の光伝送システム。
【請求項６】
さらに、前記生成された光パスごとのトラフィックをモニタするモニタ手段を具備し、
前記光パス解放手段は、前記モニタ手段によるモニタ結果に基づいて、スケジューリングされた解放時刻の直前のトラフィックが第１の閾値以上であり、かつ、生存時間内におけるトラフィックの平均値が第２の閾値以上である光パスの解放時刻を延長することを特徴とする請求項１に記載の光伝送システム。
【請求項７】
複数のデフォルトパスによりシェアされる光伝送リソースに空きのない状態が継続し、かつ光パス生成要求の時間当たりの発生頻度が規定値を超えた場合に、
前記パスライフ決定手段は、前記光パスの生存時間を短縮することを特徴とする請求項１に記載の光伝送システム。
【請求項８】
さらに、前記生成された光パスごとのトラフィックをモニタするモニタ手段を具備し、
複数のデフォルトパスによりシェアされる光伝送リソースに空きのない状態で光パス生成要求の時間当たりの発生頻度が規定値を超えた場合で、かつ、新規の光パス生成要求に対応するデフォルトパスのトラフィックが生存中の光パスのトラフィックのいずれかより大きい場合に、前記光パス解放手段は、生存中の光パスのうちトラフィックが最小の光パスを解放することを特徴とする請求項１に記載の光伝送システム。
【請求項９】
デフォルトパスの始点ノードまたは終点ノードが要求する光パスの生存時間が前記光パス生成要求に掲示される場合に、
前記光パス解放手段は、前記掲示される生存時間のうち最短の値を前記光パスの生存時間としてスケジューリングすることを特徴とする請求項１に記載の光伝送システム。
【請求項１０】
さらに、前記生成された光パスごとのトラフィックをモニタするモニタ手段を具備し、
前記光パス解放手段は、予め光パスの解放時刻のスケジューリングを行わず、新規の光パス生成要求に対応するデフォルトパスのトラフィックが生存中の光パスのトラフィックのいずれかより大きい場合に、生存中の光パスのうちトラフィックが最小の光パスを解放することを特徴とする請求項１に記載の光伝送システム。
【発明の詳細な説明】
【技術分野】
【０００１】
本発明は、光ノード装置を複数備え、パケット通信網などにオーバレイして形成される光伝送システムに関する。この種のシステムはフォトニックネットワーク、または全光ネットワークとも称される。
【背景技術】
【０００２】
インターネット技術の進歩は早い。通信網を流れるトラフィックは、１９９０年代初めは固定電話トラフィックが主であったのに、現在ではその大部分がインターネットを流れるデータトラフィックである。インターネットやブロードバンドの爆発的な普及により、インターネットを支えるメトロ、および幹線系のトラフィックも急激に増大している。このような背景から、既存の通信ネットワークに収容可能なトラフィックは限界に近づいてきている。
【０００３】
そこで、光クロスコネクトをノードとするフォトニックネットワークを既存ネットワークにオーバレイし、既存ネットワークに収容しきれないトラフィックをフォトニックネットワークに移し替えるという技術が検討されている（例えば特許文献１、および非特許文献１を参照）。既存ネットワークのトラフィックはフォトニックネットワークに設定される光パスに収容され、これにより中間ノードがカットスルーされる。必要に応じて一時的に光パスを設定するほうが、光パスを固定的に設定するよりもフォトニックネットワークへの初期投資を少なくすることができる。特に、非特許文献１においては、各ノードに備わる光トランシーバの数を限定することでシステムのコストダウンを図るようにしている。
【特許文献１】特開２００２−０１６９５０号公報
【非特許文献１】電子情報通信学会  ２００３年ソサイエティ大会Ｂ−６−１４０
【発明の開示】
【発明が解決しようとする課題】
【０００４】
ところで、光パスがフォトニックネットワークにおいて張られてから解放されるまでの時間（光パス生存時間と称する）は、複数のノードが相互に光パスを張る機会を公平に確保するために制限される。すなわち光パスは設定されたのち一定時間の経過後に強制的に解放されるか、または、トラフィックが閾値以下に減少すれば時間経過を待たずに解放されるようになっている。つまり現状では、フォトニックネットワークに設定された光パスは、ほぼ盲目的に解放される。
【０００５】
光パス生成にかかる処理を削減して各ノードの負荷を軽減するためには、光パス生存時間は長いほうが好ましいが、ノードの公平性を確保するためには光パス生存時間の短いほうが望ましい。このように、光パスの生存時間には互いに相反する要求が有る。仮に光パスの生存時間を積極的に可変することができれば、ネットワーク状況に応じたカットスルー処理を実施できるようになり通信網の運用効率の向上が期待できるが、そのようなシステムは未だ知られていない。  
本発明は上記事情によりなされたもので、その目的は、光パスの生存時間を柔軟に可変設定できるようにし、これによりネットワーク運用効率の向上を図った光伝送システムを提供することにある。
【課題を解決するための手段】
【０００６】
上記目的を達成するために本発明の一態様によれば、ラベルスイッチパス上を転送されるパケットをスイッチングする複数のルーティングノードを備えるパケット通信網にオーバレイされる光伝送システムであって、光パス生成要求が前記パケット通信網から与えられた場合に、この光パス生成要求により指定されるデフォルトパスのトラフィックの少なくとも一部を収容可能な光パスを生成する光パス生成手段と、前記デフォルトパスごとに光パスの生成された履歴を管理する履歴管理手段と、この履歴管理手段により管理される情報に基づいて前記光パスの生存時間をデフォルトパスごとに決定するパスライフ決定手段と、このパスライフ決定手段により決定される生存時間に基づいて前記光パスの解放時刻をスケジューリングする光パス解放手段とを具備することを特徴とする光伝送システムが提供される。
【０００７】
このような手段を講じることにより、光パス生存時間がデフォルトパスごとに適応的に可変設定される。光パス生存時間の標準値を予め決めておき、この標準値よりも延長するか、または短縮するかという手法が考えられる。光パス生存時間は、例えば一定の過去から現在に至るまでのネットワークのトラフィック状態に関する情報を参照して決定される。この種の情報には、デフォルトパスごとに光パスの生成された時間、頻度などの履歴情報などが有る。光パスは生存時間の経過ののち解放されるようにスケジューリングされるが、必ず解放されるとも限らず、生存時間が終了する頃の状態によっては生存時間が延長されることも、他のトラフィックの都合によって予定より早く解放されることもある。
【０００８】
このように、光パス設定の際のネットワークの状況に応じて柔軟に光パス生存時間を決定することにより、有限の光伝送リソースを有効活用してトラフィック状態に対応した光パス設定を行うことができる。
【発明の効果】
【０００９】
本発明によれば、光パスの生存時間を適切に可変設定することの可能な光伝送システムを提供することができる。
【発明を実施するための最良の形態】
【００１０】
図１は、本発明に係わる光伝送システムの実施の形態を示すシステム図である。図１のシステムは、複数のノード１０３（１０３−１〜１０３−５）を備える。各ノード１０３−１〜１０３−５は、それぞれラベルスイッチルータ（ＬＳＲ）１０１（１０１−１〜１０１−５）と、フォトニッククロスコネクト（ＰＸＣ）１０２（１０２−１〜１０２−５）とを備える。
【００１１】
各ノード１０３−１〜１０３−５は光伝送路１０４−１〜１０４−６を介して適宜接続される。各光伝送路１０４−１〜１０４−６は波長多重される複数の光リンクからなり、このうち１つの波長λ０をデフォルト波長としてノード間をホップバイホップで接続する。すなわち、波長λ０はノードごとに必ず光−電気変換され、信号の電気的処理が行われる。波長λ０はネットワークの制御信号の伝送や、Ｌ２／Ｌ３レイヤのパケットの転送に用いられる。Ｌ２／Ｌ３レイヤを通るパケットは、宛先に到着するまでに通過したノードのラベルスイッチルータ１０１によりでスイッチングされる。
【００１２】
図１においてＬ２／Ｌ３レイヤと示される面内で、ＬＳＲ間を接続する点線の矢印は、各ノード間が論理的にメッシュ接続されている様子を示す。各ノードをメッシュに接続する論理的ルートは、ラベルスイッチパス（ＬＳＰ）と呼ばれる。メッシュ接続はあくまでも論理的にであって、実際にはこのネットワークを通過するパケットはホップバイホップにＬＳＲでスイッチングされながらＬＳＰ内を進んで行く。
【００１３】
ＬＳＲは自ノードを通過するＬＳＰのトラフィック測定機能を備える。各ノード１０３−１〜１０３−５は、或るＬＳＰのトラフィックが増大したことを検出すると、そのＬＳＰのトラフィックをＬ１レイヤでカットスルーさせる。具体的には、そのＬＳＰが通過するルートに沿ってＰＸＣを経由するＬ１レイヤの光パスを設定し、ＬＳＰのトラフィックを光パスに移しかえる。
【００１４】
ＰＸＣは任意の入力ポートに入力された任意の波長の光を電気信号に変換することなく、また波長変換も行わず光のまま任意の出力ポートに接続する機能を持つ。従って光パスは始点ノードから始まって、波長変換されないままいくつかのＰＸＣを通過して終点ノードにまで届く。
【００１５】
図１において、例えばＬＳＲ１０１−１と１０１−３とを接続するＬＳＰをＬ１レイヤでカットスルーする場合、そのＬＳＰが物理的にはＬＳＲ１０１−１、１０１−２、１０１−３を通っているとする。ノード１０３−１，１０３−２，１０３−３に対して光パス設定要求を行い、波長等の条件を満たして要求が受け入れられれば、ＰＸＣ１０２−１，１０２−２，１０２−３を通る光パス１０５が設定される。なお、光パス設定要求を発出するノード（イングレス：ingress）はノード１０３−１，１０３−２，１０３−３のいずれかである。
【００１６】
光パス１０５が無事設定されると、ノード１０３−１はＬＳＲ１０１−１に入力されるＬＳＲ１０１−３に向けて張られたＬＳＰのトラフィックをＰＸＣ１０２−１向けに振り向け、光パス１０５によってノード１０３−３に届くようにする。ノード１０３−３ではＰＸＣ１０２−３に届いている光パス１０５のトラフィックをＬＳＲ１０１−３の方に振り向ける。このようにするとノード１０３−２がカットスルーされ、ＬＳＲ１０１−２の負荷が減少する。
【００１７】
図１のネットワークアーキテクチャを持つ既存のシステムでは、光パスを一旦張った後、一定時間が経過したら、光パス内のトラフィックによらず光パスを強制的に解放するようにしている。従って光パスが解放された後、対応するＬＳＰにトラフィックがまだ多ければ光パス設定要求が再び発生することになる。
【００１８】
ＬＳＰ上を進むパケットはＬＳＲを通るたびにスイッチングされる。ＬＳＲは入力されたパケットを、ストアアンドフォワードで対応する出力ポートのバッファにキューイングする。バッファが空ならばパケットは即座にＬＳＲの外に出て行くが、バッファに他のパケットがたまっていると順番が来るまで出力されない。一方、ＰＸＣは入力と出力を線として繋いでいるだけなので、光パス上を進むパケットはＰＸＣをほとんど素通りするだけである。従って、同じ宛先のパケットでもＬＳＰを通過する場合と、光パスを通過する場合とでは、遅延の性能が明らかに異なる。
【００１９】
同じフローのパケットの通り道が光パスとＬＳＰの間で変わると遅延のジッタが大きくなる。また、光パスの設定が頻繁に行われることにより、光パス設定のためのシグナリングパケットがネットワーク中を飛び交い、そのためにトラフィックが増大したり、それを処理するノードの負荷が増大する。光パスが終了してから、光トランシーバが別の光パスに使用されるまでにかかる時間は光パスが使用されていない時間であり、この時間の割合が大きいとＬＳＰのトラフィックが増大し、ノードの負荷が増大する。このような観点からは光パス生存時間は長いほうが良い。
【００２０】
一方で、図１のアーキテクチャでは各々のノードが有する光トランシーバ数、すなわち、そのノードが端点（始点または終点）となって張ることができる光パスの数が限定されており、ネットワーク内の他の全てのノードに対して同時に光パスを張ることができない。従って、公平性という観点からは光パス生存時間を短くすることが望ましい。このように、光パス生存時間はネットワークの性能を大きく左右する。以下では、有限数の光トランシーバを有効に活用し得る光パス生存時間を決定するための実施形態につき開示する。
【００２１】
［第１の実施形態］
図２は、図１のノード１０３の一実施の形態を示す機能ブロック図である。図２のノード１０３はラベルスイッチルータ１０１と、フォトニッククロスコネクト１０２とを備える。フォトニッククロスコネクト１０２は、光マトリクススイッチ１１と、波長多重ＭＵＸ／ＤＭＵＸ１２と、光マトリクススイッチ制御部２０とを備える。なお図２において説明を簡単にするため、光マトリクススイッチ１１を入力１０ポート、出力１０ポートの光空間マトリクススイッチとする。波長多重ＭＵＸ／ＤＭＵＸ１２を波長λ０、λ１、λ２の合計３波長を分離多重できるものとし、このうちλ０をデフォルト波長とする。光マトリクススイッチ１１は、同一の波長の中で、任意のポートを選択できる機能を有するとする。説明の都合上、波長数を３としたが、波長数は制約されるものではない。フォトニッククロスコネクト１０２は、光伝送路１０４を介して異なるノードに接続される。
【００２２】
波長多重ＭＵＸ／ＤＭＵＸ１２から入出力されるデフォルト波長λ０の光信号は、ラベルスイッチルータ１０１のデフォルト光トランシーバ部１３より電気信号に変換される。変換された電気信号は、ラベルスイッチ機能部１４において、電気信号に含むラベル情報に基づき該当する出力ポートにスイッチされる。通常は、ラベルスイッチ機能部１４に入出力される電気信号は、ヘッダ部分と可変長データで構成されるパケットデータである。パケットデータには固定長のラベルが付加されているため、ラベルドパケットと称される。ラベルドパケットが、ラベルスイッチ機能部により適切な出力ポートを選択してスイッチするためには、ラベル値と出力ポートの関係を示すラベルテーブルを参照する必要がある。このラベルテーブルを作成する機能はルータ部１６が備える。
【００２３】
ルータ部１６は、通常のＩＰ（Internet Protocol）ルータの機能とラベルテーブル作成機能を有する。ノード１０３がネットワークのエッジデバイスとして動作する場合には、ルータ部１６はＩＰネットワークなどの外部ネットワークと接続される。すなわちルータ部１６は、ＩＰネットワークとの間でのＩＰパケットの送受信機能を有する。隣接ノードとの間はデフォルト波長λ０により接続される。
【００２４】
ラベルスイッチ機能部１４は、ルータ部１６からのＩＰパケットに既定のデフォルトラベルを付加し、隣接ノードに転送する。デフォルトラベルが入力されたラベルスイッチ機能部１４は、必ずラベルを落として、ＩＰパケットの姿に戻して、ルータ部１６に入力する。このようにして形成されるネットワークは、立ち上がりに際して、ホップバイホップで接続されるＩＰルータネットワークとして振舞うことができる。
【００２５】
この仕組みによりルータ部１６は、例えばＯＳＰＦ（Open Shortest Path First）などのダイナミックルーティングプロトコルを動作させることができる。ルータ部１６は、ダイナミックルーティングプロトコルを用いてフォワーディングテーブルを自動的に作成することが可能となる。外部ネットワークからルータ部１６に入力するＩＰパケットの宛先ＩＰアドレスを見て、次のホップのノードに該当するラベルを選択することができる。
【００２６】
上記の外部からのＩＰパケットの転送の仕組みと同様に、ルータ部１６内部（図示せず）のラベルテーブル作成機能や光パス設定／解放制御部１７から入出力する制御用ＩＰパケットは、本ネットワーク内すべてのノードのラベルテーブル作成機能や光パス設定／解放制御部と通信が可能となる。
【００２７】
トラフィック計測部１９は、ラベルスイッチ機能部１４において測定したデータトラフィック量を測定する機能を有する。具体的には、ラベルスイッチ機能部１４において、ＬＳＰ単位にバッファキューを設け、キューに保持されるデータ量をトラフィック計測部１９がモニタリングすることなどが考えられる。これ以外の手法を用いてデータトラフィック量を測定してもなんら問題はない。
【００２８】
ＬＳＰがフルメッシュに張られると、ノード１０３を通過するパケットはデフォルト光トランシーバ部１３を介してラベルスイッチ機能部１４に入力されるが、ここで折り返され、デフォルト光トランシーバ部１３を介して隣接ノードに転送される。この状況において、予め設定された閾値を超えるデータトラフィックがトラフィック計測部１９により観測されると、光パス設定要求のためのトリガを光パス設定／解放制御部１７に向け発生する。トリガを受けた光パス設定／解放制御部１７は、該当するＬＳＰの始点ノードに向けて、光パス設定要求メッセージを送出する。光パス設定要求メッセージは、ルータ部１６を介して、ラベルスイッチ機能部１４でラベルドパケット化され、デフォルト光トランシーバ部１３によりλ０の光信号に変換され、ホップバイホップで、ＬＳＰの始点ノードの光パス設定／解放制御部１７に到着する。
【００２９】
光パス設定要求メッセージを受けたＬＳＰの始点ノードの光パス設定／解放制御部１７は、光パスの設定処理を開始する。このシグナリングには、ＭＰＬＳをより一般的に拡張したＧ−ＭＰＬＳ（Generalized MPLS）を用いることができる。詳細は省略するが、光パス要求メッセージを受け取った光パス終点ノードの光パス設定／解放制御部１７では、光パスリザーブメッセージを始点ノードに戻して、光パスが通過するノードと始点ノードの光マトリクススイッチ制御部２０を介して、光マトリクススイッチ１１を切り替える。
【００３０】
光パスの始点ノードにおいては、波長可変トランシーバ部１５の波長を、ＧＭＰＬＳの仕組みで決定した波長に設定し、ＬＳＰを流れていたデータを、波長可変トランシーバ１５を介して転送する。この切り替えは、ラベルテーブルを変更することによっても、ラベル値を変更することによっても実現することが可能である。
【００３１】
光パスの途中ノードにおいては、光マトリクススイッチ１１が設定されており、光信号のまま通過するため、データパケットの遅延時間は光の通過時間のみで決定される。以上のように、各ノード１０３はデフォルトパスであるＬＳＰのトラフィックを監視し、光パスに移行させるべき状態（トラフィックが閾値を超えて増大した、など）を検出すると、光パス設定手続きを開始する。
【００３２】
上記構成において、光パス設定／解放制御部１７、光マトリクススイッチ制御部２０、光マトリクススイッチ１１は、デフォルトパスのトラフィックの少なくとも一部を収容可能な光パスを生成する。また光パス設定／解放制御部１７は光パスの生存時間をデフォルトパスごとに決定し、その生存時間に基づいて光パスの解放時刻をスケジューリングする。ところでラベルスイッチルータ１０１は、デフォルトパスごとに、光パスの生成された履歴を管理する履歴管理部１８を備える。
【００３３】
図３は、本発明に係わる光パス生存時間の決定手法の第１の実施形態を説明するための図である。本実施形態では、個々の光パスを設定する際、ネットワークのトラフィックの状態をパラメータとして光パス生存時間を決定する。図３では、光パス設定手続きの対象となっているＬＳＰが直近の過去においてどの程度光パスにトラフィックを移行させていたかを判断基準とする。
【００３４】
すなわち、光パス設定手続きの対象となっているＬＳＰ１に対して「今回の要求」で示した時点に新たな光パス設定要求が発生したとする。ＬＳＰ１はその時点の直近の過去に図で示したように頻繁に光パスの設定・解放を繰り返している。そのＬＳＰに対応した光パスが張られていたかどうかを調べる調査対象時間を、要求が発生した時刻からＴｍ前までとし、その期間の間に光パスが張られていたトータルの時間Δｔtotalを調べる。閾値にあたる時間Ｒ・Ｔｍ（ただし０＜Ｒ＜１）を超えて光パスが張られていたかどうかを比較する。
【数１】
2005340958.tif 000003
【００３５】
式（１）が成立する場合、光パスが張られていた時間が十分長い、すなわち、ＬＳＰ１のトラフィックが多く、かつ光トランシーバなどのリソースに余裕があると判断する。Ｒは個々のネットワークについて、ノード数や光トランシーバ数、トラフィックの傾向などを元に決定すればよい。
【００３６】
図３では期間Ｔｍの間に光パスが張られていた時間の総計が（Δｔ1＋Δｔ1＋２／３Δｔ1）であって、（Δｔ1はそのシステムの標準的な光パス生存時間）、これは閾値より大きいので、「今回の要求」に対しては光パス生存時間を長く設定する。図ではΔｔ1より長いΔｔ2とする。
【００３７】
このように本実施形態では、フォトニックネットワークにトラフィックを移行させるＬＳＰの直近のトラフィック傾向に基づいて、光パス生存時間を決定するようにする。すなわちＬＳＰの光パス設定手続きが開始された際に、そのＬＳＰに対応する光パスの設定履歴に基づき、光パスの生存時間を決定する。過去に頻繁に光パスが張られており、その度に生存時間が経過して解放されていればそのＬＳＰはトラフィックの大きいＬＳＰであることがわかる。また、それらの過去の光パスが解放された後比較的短時間でまた光パスが張られていれば、１つのＬＳＰからの頻繁な光パス設定要求に対して光パスを十分に供給できるだけのリソース（波長、光トランシーバなど）が全光ネットワーク内にあることを意味する。
【００３８】
現時点から過去の一定時間までの間にそのＬＳＰに対して光パスが張られていた総時間が定められた閾値より大きければ、そのＬＳＰに対して光パスが頻繁に張られていたことを検出できる。光パスが張られていた時間が長かった場合は、そのＬＳＰの新規の光パス設定要求を処理するときに生存時間を標準的な生存時間より長くする。リソースに比較的余裕があることはわかっているので、生存時間を長くしても他のトラフィックに大きな影響は与えない。
【００３９】
このように光パス生存時間を、新たな光パスが設定される際に決定する可変な値とすることにより、柔軟な光パス生存時間の設定が可能となる。特に、過去から現在に至るまでのネットワークのトラフィック状態に関連して光パスの生存時間を決定することにより、有限数の光トランシーバを有効活用し、トラフィック状態に対応しながら、伝送品質を向上させ、ノードの処理を少なくすることが可能となる。従って、光パスを必要としているＬＳＰに効率よく光パスを割り振ることが可能となり、光トランシーバの有効活用はもちろん、光パス設定手続きの頻度が減ることによってネットワークやノードの負荷が少なくなる。さらに光パス設定・解放の繰り返しが少なくなるので、伝送遅延のばらつきを少なくすることも可能になる。
【００４０】
［第２の実施形態］
図４は、本発明に係わる光パス生存時間の決定手法の第１の実施形態を説明するための図である。図４は、Δｔtotalが閾値よりも小さい場合の例を示す。「今回の要求」に対してもそれまでと同じ光パス生存時間としている。Δｔtotalが閾値より小さいのは、ＬＳＰ２のトラフィックがあまり大きくないために要求が出されていないためかもしれないし、リソースが逼迫していて、要求があっても光パスを張れないためかもしれない。どちらにしても、このような場合は光パスの生存時間を変更しない。トラフィックが大きくないのに生存時間を長くする必要は無いし、リソースが逼迫している時に、一部のＬＳＰだけを優遇することは望ましくないからである。
【００４１】
なお、実際の運用においてＴｍを決定するとき、標準的な光パス生存時間よりある程度長くしておき（例えば図３の例であれば、ＴｍはΔｔ1の３倍程度になっている）、トラフィックの傾向と対応が付くようにしておく必要がある。
【００４２】
Δｔ2をどの程度の長さにするかは、種々の方法がある。例えば一様にΔｔ1の何倍と決めても良いし、Ｒを複数決めて、より大きいＲに対して式（１）が成り立つような場合にはより長い光パス生存時間を与えるなどの方法をとっても良い。いずれにしてもトラフィックの変動に対応して公平性を保つためには上限を決定しておくことが望ましい。
【００４３】
このようにすることによって十分なリソースがあるときに光パスを必要とするところに長く光パスを張ることが可能となり、光パス設定手続きによるノードの負荷を軽減し、遅延のジッタの抑圧することが可能となる。
【００４４】
［第３の実施形態］
図５は、本発明に係わる光パス生存時間の決定手法の第３の実施形態を説明するための図である。図５は、光パス生存時間を決定する際に、そのＬＳＰにつき過去の同じ時間帯の光パス設定傾向をパラメータとする方法を示す。ここでは、例えば周期Ｐを１日として、過去３日間において、今回の光パス設定要求が発生した時刻と同一時刻前後の時間帯のそのＬＳＰについての光パスが設定されていた時間を調べる。
【００４５】
図５において、「今回の要求」と示す時刻にＬＳＰ１の光パス設定要求が発生したとする。そこからＰ（例えば２４時間）だけ以前の時刻の前後Ｔｍ１の期間と、２Ｐだけ以前の時刻の前後Ｔｍ１の期間と、３Ｐだけ以前の時刻の前後Ｔｍ１の期間についてそれぞれ、光パスが設定されていたトータルの時間を調べる。それらがそれぞれΔｔtotal1、Δｔtotal2、Δｔtotal3であったとする。これの平均を求め、それが閾値に対応する時間Ｒ１＊Ｔｍ１を超えているかどうか調べる。
【数２】
2005340958.tif 000004
【００４６】
式（２）は過去ｎ個の同一時間帯の平均を取る場合の式であり、図５の例ではｎ＝３である。ｉには１から３の数字が入る。これが満たされているならば、そのＬＳＰに関してこの時間帯にはトラフィックが増加する傾向が強く、またこの時間帯にはリソースが十分にある傾向が強いものとして、今回の要求に対しては、標準となる生存時間より長い光パス生存時間とする。なお、Ｔｍ１は図３の例のＴｍより長めに取るとよい。
【００４７】
図３の直近の傾向をみる方法は何か突発的な理由でまとまったトラフィックが発生したことを検知するために好都合であるのに対して、図５の方法は、例えば、家庭では夕食後の時間帯にトラフィックが増加するとか、お昼休みにトラフィックが増加するなど、比較的ゆっくりと変化する傾向を見るのに好都合であるからである。
【００４８】
Ｐが１日ならば２４時間のトラフィックの傾向を見ることになるし、Ｐが一週間であれば、曜日も考慮に入れてトラフィックの傾向を見ることになる。一日単位でもある程度トラフィックの傾向は出るのでより単純にはＰを一日とすればよい。しかし、土日にトラフィックの傾向が変わったり、週の初めや週の終わりでトラフィックの傾向が変わったりすることに細かく対応したいなら、Ｐを一週間とすればよい。
【００４９】
このように過去の同じ時間帯の光パス設定傾向を調べることによって、同じ時間帯のトラフィックの傾向を知り、それに基づいて光パス生存時間を決定するので、予めトラフィックを予測して適切と予想される光パス生存時間を設定することが可能となる。
【００５０】
光パス設定に係わる過去の傾向は、履歴管理部１８により調査される。光パス生存時間を決定するノード、あるいは制御装置（図示せず）などに設けられる履歴管理部１８は、ＬＳＰごとに過去の光パス設定の時刻、長さなどを記憶する。図５の例では、光パス生存時間を決定するノードや制御装置が自分が、光パス生存時間を決定する可能性がある全てのＬＳＰについての必要なだけの過去の光パス設定時刻、長さを記憶する。
【００５１】
別の方法では、例えば１時間、３０分といったユニットに時間を区切り、それぞれのユニットの中で、それぞれのＬＳＰに対して光パスが張られた時間の総計を、そのユニットが終了するごとに計算し、その計算結果のみを記憶してもよい。この場合、「今回の要求」が発生した時刻の過去の同一時刻を含むユニットを数周期分取り出してきて平均を求めて、その結果に基づいて今回の要求に対応する光パス生存時間を決定する。時間をユニットに区切ると精度は低下するが、光パス設定要求が出るたびに光パス設定時間の総計を求めるといった操作が必要でなくなり、計算時の負荷を軽減することができる。光パス生存時間を決定するのが、専用の制御装置ではなく、ノードの機能の一部として行うような場合は、計算の負荷が少なくなることはノードの負荷を下げるという点で重要である。
【００５２】
なお、図３、図５の方法、特に図５に示す方法では、「今回の要求」が発生した時点で、過去の光パス設定時間の統計値がリソースの余裕を示していたとしても、突発的なトラフィック変動によって、実はリソースが逼迫している可能性もある。もし、光トランシーバ数や波長数などのリソースの余裕を検出することができて、それをリアルタイムに処理して光パス生存時間の決定に用いる能力があるのであれば、リソースが明らかに不足している場合には公平性を保つため「今回の要求」に対する光パス生存時間を長くしないようにしてもよい。
【００５３】
このように本実施形態では、移行させたいＬＳＰの過去の（現時点と）同一時刻前後の光パス設定状態に基づいて光パス生存時間を決定する。すなわち、例えば、過去何日かの同一時刻前後に、そのＬＳＰについて光パスがどの程度張られていたかについて調べる。過去何日かの同一時刻の前後の時間帯（定められた長さの時間）にそのＬＳＰについての光パスが張られている時間が長ければ、そのＬＳＰは、その時間帯にトラフィックが大きい傾向であることがわかる。したがって、当日もトラフィックが大きい可能性が高い。
【００５４】
ネットワークを通るトラフィックは、人の労働・生活パターンや、プログラムされた機器の動作パターンによって決まるため、それぞれのＬＳＰについて日単位や週単位など周期的に特定の傾向が現れる可能性は高い。このような傾向がわかれば、大きく長いトラフィックであると予想される部分には予め光パスの生存時間を長く設定すればよい。
【００５５】
上記の例では過去何日かの同一時刻前後の定められた長さの時間において、そのＬＳＰについて光パスが設定されていた時間の平均値が、定められた閾値を超えているような場合、今度の光パス設定手続きの際には光パス生存時間を長めに決定する。あくまでも傾向に基づくので、場合によっては当たらないこともある。その場合はその日のその時間帯のそのＬＳＰの光パス設定要求数自体が減って、翌日以降の光パス設定要求の際に調べる統計値に影響を与えるはずなので、長期的には大きな問題にはならない。
【００５６】
また、ネットワーク全体でのトラフィックの傾向が日や週などの周期である程度決まっており、過去の同一時刻に光パスが張られている時間が長いということは、過去の同一時刻では、そのＬＳＰに光パスを供給するだけの十分なリソースがあったことを示しており、確率的には、当日も十分なリソースを持っている可能性が高い。さらに、一日周期のみでなく、より精密な統計を使用するために過去何週間かの同一曜日同一時間帯について調べても良い。
【００５７】
このようにすることによって、光パスを必要としているＬＳＰに効率よく光パスを割り振ることが可能となり、光トランシーバの有効活用はもちろん、光パス設定手続きの頻度が減ることによってネットワークやノードの負荷が減り、光パス設定・解放の繰り返しを少なくすることによって、遅延のばらつきを少なくすることができる。
【００５８】
［第４の実施形態］
図６は、本発明に係わる光パス生存時間の決定手法の第４の実施形態を説明するための図である。図６は、光パスの生存時間を、その光パスに流れるトラフィックに応じて変化させる方法を示す。ＬＳＰのトラフィック測定によって光パスに移すべきＬＳＰ１が検出されると光パス設定手続きが実施され、これが成功すると光パスが張られる。この光パスのトラフィックは端点のノードにより測定される。このノードは、例えば光パスに流入するパケット数、または光パスから流出するパケット数、パケット長、またはバイト数を測定し記憶する。
【００５９】
一旦設定された光パスについて、その始点または終点のノードがトラフィックを監視する。その光パスの生存時間内のトラフィックを定められた閾値と比較し、閾値より大きければ、光パス内に継続的に大きなトラフィックがあったものと判断する。また、光パス生存時間が終了する直前のトラフィックを別の閾値と比較し、閾値より大きければ、光パスが終わろうとしていてもまだ大きなトラフィックがあると判断できる。このような場合、光パスを一旦解放してもすぐに同じＬＳＰから新規の要求が発生する可能性が高いため、光パス生存時間を延長する。ただし、そのノードの光トランシーバに余裕がある場合に限る。第１〜第３の実施形態と異なり、光パスのトラフィックが大きいことは光トランシーバ数に余裕がある可能性を暗示せず、他のＬＳＰも同様に混雑しているかもしれないからである。
【００６０】
光パス生存時間をどのノード（あるいは制御装置）が決定するかは、ネットワークの詳細な実装に依存し種々可能であるが、多くの場合には始点ノードまたは終点ノードのいずれかである。このような場合、トラフィックを測定する端点のノードは始点または終点のいずれでも良いが、できるだけ光パスの生存時間を決定するノードの方であることが望ましい。なぜならば、トラフィック測定の結果を、生存時間を決定するノードまでネットワーク等を介して送ることは、ノードの処理負荷、ネットワークの負荷、データのリアルタイム性などの観点から望ましくないからである。
【００６１】
さて、本実施形態では、光パスの生存時間の標準値をΔｔ1としてスケジュールし、光パスの解放予定時刻のΔτ前に、その光パスを予定通り解放するか、延長を許すかを決定する。現在時刻におけるトラフィックが十分大きく（現在時刻におけるトラフィックが定められた第１の閾値より大きいかどうかで判断する）、光パスが設定されてから、現在時刻まで（Ｔｍ２）の光パスのトラフィックの平均値が十分大きければ（トラフィックの平均値あるいは積分値が定められた第２の閾値より大きいかどうかで判断する）、光パス生存時間を延長して、解放予定時刻を延長された時刻にスケジュールしなおす（Δｔ2）。
【００６２】
２つの閾値を設けることにより、その光パスが延長されるに値するだけのトラフィックを有するか否かを確実に検出することができる。現在時刻におけるトラフィックのみでは、突発的に増加している可能性があるし、平均値のみでは、トラフィックのピークはもう終わっているかも知れないからである。なお、この方法を用いる場合は、現在時刻において、リソースに余裕があることを確認してから延長することが望ましい。リソースに余裕がない場合は、公平性を保つため一旦解放するほうが良い。
【００６３】
なお、リソース、例えば光トランシーバに余裕があるとは、そのノードの光トランシーバが余っているか、全て使用されていても、全て使用されていた期間に光トランシーバに対する新規の要求が発生していなければ、光トランシーバには余裕があるとみなすことができる。延長する時間は、例えば標準的な生存時間Δｔ1と同じだけ、あるいはその半分等予め決めておけばよい。このようにすることによって、光パス生存時間をトラフィックに応じて柔軟に設定し、公平性を保ちつつも光パスを必要とするところに的確にリソースを割り振ることが可能となる。
【００６４】
なお、生存時間を延長した光パスの解放予定時刻が近づいたときに、同様の方法でさらに延長するかどうかを決定してもよい。ただし、公平性を失わないよう、延長回数には上限を定めておくことが望ましい。上記の方法を用いる場合において、標準的な光パス生存時間Δｔ1を他の方法を用いる場合より短くしておき、延長回数の最大値を比較的大きな回数と定めておけば、光パス内を流れるトラフィックの状態に応じて柔軟に光パスの解放、延長を定めることが可能となり、より効率よく光トランシーバを利用することができる。
【００６５】
［第５の実施形態］
図７は、本発明に係わる光パス生存時間の決定手法の第５の実施形態を説明するための図である。第１〜第４の実施形態においては、光パス生存時間を延長し、光トランシーバ数などのリソースに余裕がある場合に光パスの品質やノードの負荷軽減を優先するようにしている。これに対し以下の実施形態では、リソースに余裕がない、すなわち多くのＬＳＰでトラフィックが増大しているような場合にはＬＳＰ間の公平性を優先し、トラフィックが混雑している場合に、光パス生存時間の標準的な長さを短くするようにする。
【００６６】
図７はその様子を示している。例えば光トランシーバ（Ｔｘ／Ｒｘ）を４つ持つノード１０３において、光トランシーバの使用状況を調査する。ある時刻において、そこから定められた期間Ｔｍ３だけ過去までの光トランシーバ使用状況が図７のようにほぼ常時使用されていたとする。このとき、調査を行う時刻は、常時監視によって、常に過去Ｔｍ３だけの間の使用状況を監視しても良いし、定期的に調査を行っても良い。定期的に行う場合は、その周期はＴｍ３よりは短くして、監視漏れが起こらないようにすることが望ましい。また、この方法では、結果が影響する範囲が広いため、安全を期すためにＴｍ３の長さは、図３の方法よりも長めにするとよい。
【００６７】
同時にＴｍ３の期間における自ノードに届いた光パスの始点または終点を形成する要求の数をカウントする。Ｔｍ３の期間の間に光トランシーバがほぼ使用されていることを検出し、光パスの端点を形成するための要求の数が一定の閾値を超えていたならば、そこから後に設定される光パスについては光パス生存時間を短くする。図７では、それまではΔｔ1だった生存時間をΔｔ3（＜Δｔ1）としている。光トランシーバが常時ほぼ全数が使用され、それでもなお、多くの光パス端点の形成要求が来るという状態は非常にトラフィックが混雑している状態である。このようにすることによってよって混雑しているときにより公平性を高めることができる。
【００６８】
なお、光パスは一旦張ったら生存時間後に解放する。光トランシーバは１つの光パスが解放された後、次の光パスが（おそらくは）異なる相手との異なる波長で張られるまでの間未使用になる。次の光パスのための光パス設定手続きを行う時間や、波長を異なる値に変える時間、途中のカットスルーされるノードの光クロスコネクトの状態を変化させるための時間がかかるためである。したがって、全ての光トランシーバがほぼ常時使用されていることはあっても、完全に常時使用されていることは無い。したがってその判定基準としては、上記のような状態を変化させるために必要な時間を除いて各々の光トランシーバが１００％に近い一定の閾値以上の割合で用いられているかどうかを判別するとよい。さらに、この状態は光パスの端点形成の要求が一定値を切るか、光トランシーバがほぼ全数使用されていないようになったら、元の生存時間に戻せばよい。
【００６９】
このように、あるノードに関して有限数の光トランシーバの全数がほぼふさがっている状態が続いており、かつ、その間にそのノードを端点とするさらに沢山の光パス設定要求が発生するような状態は、そのノードに関連するトラフィックが非常に混雑していることを意味している。光トランシーバの全数がふさがっている状態では、新規の光パス設定要求は、当然拒否されている。このような状態では、全ての光パス生存時間を標準の光パス生存時間より短くするとよい。このようにすることによって光パスにより得られる利点を全てのＬＳＰにできるだけ公平に割り振ることが可能となる。
【００７０】
なお、標準となる光パス生存時間を超える期間を観測した場合、有限数の光トランシーバの全数が常時ふさがっていることはなく、どれかの光パス生存時間が終了して一旦解放されることによって、全数より使用数が少なくなっているような状態が観測される。しかし一旦解放されても、このように混雑している状態では、すぐに別の光パスが設定される。従って、このような状態は「ほぼ常時」光トランシーバがふさがっているとみなすことができる。
【００７１】
［第６の実施形態］
図８は、本発明に係わる光パス生存時間の決定手法の第６の実施形態を説明するための図である。図８は図７と同じ条件（光トランシーバのほぼ全数使用、光パス端点形成要求が閾値以上）において、別の手法を示す。ここでは、そのような条件が検出されたら、場合によっては光パス設定時にスケジューリングされた生存時間の経過を待たずに光パスを解放する。光パスの端点となるノードは光パスを流れるトラフィックを監視する。一方で自ノードを流れるＬＳＰのトラフィックも監視している。新たな光パス端点の形成要求が発生したときに、その要求に対応するＬＳＰのトラフィックと、自ノードが端点となっている光パスのトラフィックを比較する。比較する期間は端点形成要求から過去Ｔｍ４の期間である。Ｔｍ４は光パスの標準的な生存時間より短く、各々の光パスについて最新のトラフィック状態を示す程度に短い。
【００７２】
いずれかの光パスのトラフィックが、要求してきたＬＳＰより少ない場合は、その中で最も少ない光パスの解放手続きを行う。解放手続きを行っている光パスに対応する光トランシーバはすぐに空くものとみなして、要求してきたＬＳＰについては光パス設定手続きを続行する。解放手続きを行った光パスが解放されたら、その光トランシーバを要求してきたＬＳＰに対応する新規の光パスに使用する。このような方法を用いると、光パスはトラフィックの大きいＬＳＰに優先的に用いられるようになる。トラフィックの大きいＬＳＰを優先的に光パスでカットスルーすることによって、途中ノードの負荷を大きく軽減することが可能となり、光トランシーバが有効活用される。
【００７３】
このように本実施形態では、光トランシーバの全数がふさがっている状態で新規の光パス設定要求が拒否される状態が一定の時間続いた場合は、より光パスの必要性が高いＬＳＰに優先的に光パスを割り振るようにする。すなわち、ノード１０３は、そのノードを通過するＬＳＰのトラフィックのみでなく、そのノード１０３を端点とする光パスのトラフィックを監視する。上記のような状態になったと判断されたら、新たな光パス設定要求から光トランシーバの使用要求が発生した時、監視している光パスのトラフィックと、新規に発生した光パス設定要求のＬＳＰのトラフィックを比較する。
【００７４】
このように、その時どきで大きいトラフィックに対して光パスを供給することを目的とするため、比較するトラフィックの期間は、標準的なパス生存時間よりも短くて良い。その結果、いずれかの光パスのトラフィックがＬＳＰのトラフィックより少なければ、その光パスの中で一番トラフィックの小さいものについて、その生存時間が終了していなくても解放手続きを開始する。ＬＳＰに関しては、光パス設定要求を拒否せずに、光トランシーバは空くものとして続行する。このようにすることによって、その時々でトラフィックの重い部分を光パスに移行させることが可能となって、有限数の光トランシーバを有効活用して、ネットワークの負荷を軽減することが可能となる。
【００７５】
［第７の実施形態］
第６の実施形態までの方法では、光パス生存時間の標準的な時間がある程度決まっており、何かの条件が発生した場合に、それより短くしたり長くしたりしていた。必要に応じて決定するという意味では、光パス設定の始めに、設定可能な生存時間を申告すればよい。光パスには始点と終点の２つの端点がかかわるので、それぞれの持つ光トランシーバの使用状況などに照らして、光パスの生存時間を申告する。あるいは、システムとしてどちらか一方が決めるように取り決めてもよい。本実施形態では、始点ノードあるいは終点ノードが光パス生存時間の要求値を出す。始点や終点ノードは光トランシーバの使用状況から適用できる光パス生存時間の要求値がある。光パス生存時間を提示するのは、最低、どちらか一方、である。両方のノードからの提示があった場合、それらは同じ値とは限らないが、端点のノードが短い時間を示すということは、そのノードに関するトラフィックが緊迫した状態であることを示しているため、提示された値のうち短い値をその光パスの生存時間として決定する。光トランシーバに余裕がある場合はノードは長い生存時間を提示するとよい。このようにすることによって、トラフィックの緊迫しているところを基準として、トラフィック状態に応じて生存時間を決定することができる。
【００７６】
［第８の実施形態］
図９は、本発明に係わる光パス生存時間の決定手法の第８の実施形態を説明するための図である。第６の実施形態を変形すると、そもそも光パス生存時間を決定せずに、トラフィックの大きいＬＳＰに優先的に光パスを割り当てるという方法が可能である。前提となるアーキテクチャは同様に図１のものであるが、光パス生存時間を予めスケジュールしないようにする。本実施形態において、ノード１０３の運用開始当初はまず、光パス端点形成の要求が来た順番に光パスを張っていく。
【００７７】
ある程度のトラフィックが有り、かつ、光トランシーバ数がフルメッシュを形成できるよりも少ない場合、ある時点で光トランシーバが全て使用されている状態になる。ノードはＬＳＰのトラフィックと、自ノードを端点とする光パスのトラフィックを測定する。光トランシーバが全数使用される状態になると、次に来た光パス端点形成要求に対しては、光パスのトラフィックと、新たな要求のＬＳＰのトラフィックを比較する。そして、いずれかの光パスよりＬＳＰのトラフィックの方が大きかった場合、最もトラフィックの小さい光パスの解放手続きを行う。解放手続きで空いた光トランシーバを使用する前提で、ＬＳＰの方は光パス設定手続きを続行する。
【００７８】
このようにすると、トラフィックのあまり大きくないＬＳＰからの光パス設定要求は失敗し、その時々でトラフィックの大きいＬＳＰに優先的に光パスが割り振られていく。その結果、トラフィックの大きいＬＳＰが光パスによってカットスルーされるため、ノードの負荷が著しく軽減し、光トランシーバの有効活用が可能となる。なお、解放手続きを行ったものの、一方でＬＳＰの光パス設定手続きが別の要因で失敗し、光トランシーバが余ってしまうことがある。そのような場合は、その後に発生した新たな光パス要求に使用すればよいので、とりあえずは余らせておけばよい。
【００７９】
このように本実施形態では、光パス生存時間を光パス設定手続きの際に決めるのではなく、トラフィックの多さを基準にして、その時どきで、大きいものに対して光パスが張られているようにする。光トランシーバはほぼ全数がほぼ常時使用されている。この状態で新しい光パス設定要求が発生し、光トランシーバの使用要求がノードに届いた時、ノードは使用している光トランシーバの光パスのトラフィックと、新たに要求が発生したＬＳＰのトラフィックを比較する。
【００８０】
このようにすることで、その時どきで大きいトラフィックに対して光パスを供給することができるため、比較するトラフィックの期間は比較的短くて良い。光パスの内、ＬＳＰのトラフィックより少ないものがあれば、その中で最もトラフィックの少ない光パスの解放手続きを開始する。ＬＳＰに関しては、光パス設定要求を拒否せずに、光トランシーバは空くものとして光パス設定手続きを続行する。このようにすることによって、常に大きいトラフィックのＬＳＰに対して光パスが設定されていることが可能となり、光トランシーバは常に有効に活用され、ネットワークの負荷を軽減できる。
【００８１】
なお本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８２】
【図１】本発明に係わる光伝送システムの実施の形態を示すシステム図。
【図２】図１のノード１０３の一実施の形態を示す機能ブロック図。
【図３】本発明に係わる光パス生存時間の決定手法の第１の実施形態を説明するための図。
【図４】本発明に係わる光パス生存時間の決定手法の第２の実施形態を説明するための図。
【図５】本発明に係わる光パス生存時間の決定手法の第３の実施形態を説明するための図。
【図６】本発明に係わる光パス生存時間の決定手法の第４の実施形態を説明するための図。
【図７】本発明に係わる光パス生存時間の決定手法の第５の実施形態を説明するための図。
【図８】本発明に係わる光パス生存時間の決定手法の第６の実施形態を説明するための図。
【図９】本発明に係わる光パス生存時間の決定手法の第８の実施形態を説明するための図。
【符号の説明】
【００８３】
１０１（１０１−１〜１０１−５）…ラベルスイッチルータ、１０２（１０２−１〜１０２−５）…フォトニッククロスコネクト（ＰＸＣ）、１０３（１０３−１〜１０３−５）…ノード、１０４…光伝送路、１０５…光パス、１１…光マトリクススイッチ、１２…波長多重ＭＵＸ／ＤＭＵＸ、１３…デフォルト光トランシーバ部、１４…ラベルスイッチ機能部、１５…波長可変トランシーバ部、１６…ルータ部、１７…光パス設定／解放制御部、１８…履歴管理部、１９…トラフィック計測部、２０光マトリクススイッチ制御部
【図１】
2005340958.tif 000005
【図２】
2005340958.tif 000006
【図３】
2005340958.tif 000007
【図４】
2005340958.tif 000008
【図５】
2005340958.tif 000009
【図６】
2005340958.tif 000010
【図７】
2005340958.tif 000011
【図８】
2005340958.tif 000012
【図９】
2005340958.tif 000013